(57)【要約】【課題】ファンフィルタユニットの大型、薄型化が進み、一度に出荷する台数が増加する中で、要求条件に最適な梱包仕様に対応できることを目的とする。【解決手段】ファンフィルタユニット１−１のチャンバー側面に複数の連結固定手段５を設け、連結固定手段５には凸部６と穴部７が設けられている。ファンフィルタユニット１−１の連結固定手段５の凸部６と穴部７ともう１方のファンフィルタユニット１−２の連結固定手段５に設けられた凸部６と穴部７が相互に嵌合することで、２台のファンフィルタユニットが確実に固定され一体化したユニットとすることができ、薄型のファンフィルタユニットでも地面への接地面積部を大きく確保できるようになり、ファンフィルタユニット垂直方向置きした場合でも安定的に自立可能とし、梱包仕様の自由度を向上させることができる。【選択図】図１
2013221723.tif 000002
【特許請求の範囲】
【請求項１】
ファンとモーターとで構成されるファンユニットをチャンバーに内蔵し、
前記ファンユニットの下流側に塵埃除去フィルタを配設したファンフィルタユニットにおいて、
前記チャンバー側面には、天面側に突出した複数の連結固定手段が設けられ、
この連結固定手段には凸部と穴部を設け、
前記ファンフィルタユニットを梱包、運搬、保管するときに、２台の前記ファンフィルタユニットのチャンバー天面同士を向かい合わせ、
一方のファンフィルタユニットの前記連結固定手段の凸部と他方のファンフィルタユニットの前記連結固定手段の穴部とを嵌合させて２台のファンフィルタユニットを連結・固定することができるファンフィルタユニット。
【請求項２】
前記連結固定手段は、
前記凸部がファンフィルタユニット本体の外側に向けて突出する連結固定手段Ａと、
前記凸部がファンフィルタユニット本体側に向けて突出する連結固定手段Ｂとで構成され、
２台のファンフィルタユニットを連結・固定する場合には、
前記連結固定手段Ａの凸部と前記連結固定手段Ｂの穴部とが嵌合し、
前記連結固定手段Ａの穴部と前記連結固定手段Ｂの凸部とが嵌合する請求項１記載のファンフィルタユニット。
【請求項３】
前記連結固定手段は、前記チャンバーの対向する側面それぞれに、２箇所ずつ正対するように設けた請求項１記載のファンフィルタユニット。
【請求項４】
前記凸部と前記穴部は、前記連結固定手段の突出方向に直列に並べ、
前記凸部は、前記穴部よりもファンフィルタユニット本体に近い側に配置した請求項１または２記載のファンフィルタユニット。
【請求項５】
前記連結固定手段には、ファンフィルタユニット天面と直交する方向に長い長孔を設け、前記連結固定手段は、この長孔を介し、前記チャンバーの側面とネジで固定される請求項１記載のファンフィルタユニット。
【発明の詳細な説明】
【技術分野】
【０００１】
本発明は、半導体工場、食品工場、液晶パネル工場などの清浄空間を必要とするクリーンルームで使用されるファンフィルタユニットにおいての効率的なユニット積載方法に関する。
【背景技術】
【０００２】
従来、この種のファンフィルタユニットの輸送形態は個装梱包が一般的であったが、昨今、クリーン環境を必要とする空間自体が大型化するにつれファンフィルタユニットの大型化が進み、また、ファンフィルタユニットの設置スペース省スペース化が進むにつれ薄型化が要求されている。前記のような大型化、薄型化していく複数のファンフィルタユニットを設置場所まで運ぶために梱包するときは、輸送費の削減及び作業性の効率化向上の観点より個装梱包でなく複数のファンフィルタユニットをまとめて集合型の梱包形態とする機会が増えている。そのため、一般的に方法で集合型梱包とするときは、安定した状態でファンフィルタユニットを積み上げることができるように、地面との設置面積が確保できる水平に置いた状態で、１台毎の各ファンフィルタユニット間に緩衝材を追加設置し上方向に積み上げていく方法がとられることが多い。また、別の梱包方法としては、フィルタへの損傷を防ぐため、ファンユニットとフィルタを分離した状態で個装梱包する方法が知られている。（特許文献１）。
【先行技術文献】
【特許文献】
【０００３】
【特許文献１】特開２０１０−２７９８８８号公報
【発明の概要】
【発明が解決しようとする課題】
【０００４】
このような従来のファンフィルタユニットでは、水平置きにてファンフィルタユニットを上方向に積み上げるために、緩衝材の追加や、一度部材を分解し梱包する必要があり、コストアップの要因になる。また、梱包のためだけに分解、組立が必要となり作業効率の悪化という課題がある。
【０００５】
本発明は、このような従来のファンフィルタユニットの梱包形態における課題を解決するものであり、垂直置きを可能にして梱包時の設置面積を小さくし、かつ、梱包資材を低減するファンフィルタユニットを提供する事を目的としている。
【課題を解決するための手段】
【０００６】
本発明のファンフィルタユニットは、
ファンとモーターとで構成されるファンユニットをチャンバーに内蔵し、
前記ファンユニットの下流側に塵埃除去フィルタを配設したファンフィルタユニットにおいて、
前記チャンバー側面には、天面側に突出した複数の連結固定手段が設けられ、
この連結固定手段には凸部と穴部を設け、
前記ファンフィルタユニットを梱包、運搬、保管するときに、２台の前記ファンフィルタユニットのチャンバー天面同士を向かい合わせ、
一方のファンフィルタユニットの前記連結固定手段の凸部と他方のファンフィルタユニットの前記連結固定手段の穴部とを嵌合させて２台のファンフィルタユニットを連結・固定することができるものである。このようなファンフィルタユニットによれば、２台セットとし、地面への設置面積を確保してファンフィルタユニットを垂直に置くことができ、かつ、ファンフィルタユニット同士を固定して、ファンフィルタユニット間に緩衝材を不要としたものである。
【発明の効果】
【０００７】
本発明によれば、ファンとモーターとで構成されるファンユニットをチャンバーに内蔵し、前記ファンユニットの下流側に塵埃除去フィルタを配設したファンフィルタユニットにおいて、前記チャンバー側面には、天面側に突出した複数の連結固定手段が設けられ、この連結固定手段には凸部と穴部を設け、前記ファンフィルタユニットを梱包、運搬、保管するときに、２台の前記ファンフィルタユニットのチャンバー天面同士を向かい合わせ、一方のファンフィルタユニットの前記連結固定手段の凸部と他方のファンフィルタユニットの前記連結固定手段の穴部とを嵌合させて２台のファンフィルタユニットを連結・固定することで、地面への設置面積を確保して、小さな設置面積で保管、あるいは積載することができるものである。
【０００８】
通常この種のファンフィルタユニットを梱包する場合、安定して置けるように面積が大きい面（従来のファンフィルタユニットでは、フィルタの吹出し面）を地面との設置面にする。従来１台では確保できなかった大きな設置面積を、本願発明では、複数のファンフィルタユニットを連結することで確保したことで、ファンフィルタユニットの垂直置き梱包を可能とし、ファンフィルタユニットの梱包手段の自由度を増やすことができるという効果が得られる。
【図面の簡単な説明】
【０００９】
【図１】本発明の実施の形態１の構成を示す正面図
【図２】本発明の実施の形態１の固定方法を示す側面図
【図３】本発明の実施の形態１の固定方法を示す拡大図
【図４】本発明の実施の形態２の（ａ）連結固定手段の上下方向の積載方法を示す図、（ｂ）連結固定手段の上下方向可動方法を示す拡大図
【図５】本発明の実施の形態２連結固定手段を収納した状態の図
【発明を実施するための形態】
【００１０】
本発明の請求項１記載の発明は、ファンとモーターとで構成されるファンユニットをチャンバーに内蔵し、前記ファンユニットの下流側に塵埃除去フィルタを配設したファンフィルタユニットにおいて、前記チャンバー側面には、天面側に突出した複数の連結固定手段が設けられ、この連結固定手段には凸部と穴部を設け、前記ファンフィルタユニットを梱包、運搬、保管するときに、２台の前記ファンフィルタユニットのチャンバー天面同士を向かい合わせ、一方のファンフィルタユニットの前記連結固定手段の凸部と他方のファンフィルタユニットの前記連結固定手段の穴部を嵌合させて２台のファンフィルタユニットを連結・固定するものである。このような構成によれば、ファンフィルタユニットを垂直置きとするときに地面への設置面積となるチャンバー側面の面積を２台分使用することで面積を大きくでき、ファンフィルタユニットを垂直にした状態で、梱包が可能になる。そして、上下方向に積載するときに必要であった梱包用緩衝材を削減できる。
【００１１】
（実施の形態１）
本発明の第１の実施の形態によるファンフィルタユニット１は、図１に示すように、ファンとモーターとで構成されるファンユニット２をチャンバー３に内蔵し、ファンユニット２の下流側に塵埃除去用のフィルタ４を配設している。このファンフィルタユニット１のチャンバー３の側面には、ファンフィルタユニット１の天面側に突出して複数の連結固定手段Ａ５ａ、連結固定手段Ｂ５ｂが設けられている。後述において詳細に説明するが、それぞれの連結固定手段Ａ５ａには、ファンフィルタユニット１本体の外側に向けて突出する凸部Ａ６ａと穴部Ａ７ａが設けられている。同様に、連結固定手段Ｂ５ｂには、ファンフィルタユニット１本体側に突出する凸部Ｂ６ｂと穴部Ｂ７ｂが設けられている。連結固定手段Ａ５ａ、連結固定手段Ｂ５ｂともに、凸部Ａ６ａ、凸部Ｂ６ｂが穴部Ａ７ａ、穴部Ｂ７ｂよりもファンフィルタユニット１本体側に設けられている。連結固定手段Ａ５ａ、連結固定手段Ｂ５ｂは、少なくとも合計２つ設ける。よりよくは、合計３つ以上設けるとよい。さらには、合計４つ設けると良い。本実施の形態では、連結固定手段Ａ５ａを２個、連結固定手段Ｂ５ｂを２個設けた場合で説明する。
【００１２】
連結固定手段Ａ５ａ、連結固定手段Ｂ５ｂは、２つのファンフィルタユニット１の天面同士を向かい合わせたとき、連結固定手段Ａ５ａと連結固定手段Ｂ５ｂとが同じ位置になる（相対する）ように設ける。
【００１３】
また、連結固定手段Ａ５ａ、連結固定手段Ｂ５ｂともにファンフィルタユニット１から突出する方向に長い長孔８が設けられ、ネジ９によってチャンバー３の側面に固定されている。
【００１４】
次に、このようなファンフィルタユニット１の連結について説明する。図１に示すファンフィルタユニット１は、４箇所に連結固定手段（連結固定手段Ａ５ａ、連結固定手段Ｂ５ｂ）を設けているが、以降では、代表して１箇所で説明する。図２、３に示すように、２つのファンフィルタユニット１−１、１−２の天面側を向かい合わせる。そして、一方のファンフィルタユニット１−１の連結固定手段Ａ５ａと他方のファンフィルタユニット１−２の連結固定手段Ｂ５ｂとが突合せになるようにする。そして、連結固定手段Ａ５ａに設けられた凸部Ａ６ａと連結固定手段Ｂ５ｂに設けられた穴部Ｂ７ｂとが嵌合するように一体化する。なお、本実施の形態の場合、他の３つの連結固定手段Ａ５ａ、連結固定手段Ｂ５ｂも同様に嵌合することになる。
【００１５】
図３において、連結固定手段Ａ５ａ，連結固定手段Ｂ５ｂの連結について、説明する。
【００１６】
前述したように、連結固定手段Ａ５ａに設けられた凸部Ａ６ａは、ファンフィルタユニット１−１の本体の外側に向けて突出している。一方、同様に連結固定手段Ｂ５ｂに設けられた凸部Ｂ６ｂは、ファンフィルタユニット１−２の本体の外側に向けて突出している。２つのファンフィルタユニット１−１、１−２を一体化する場合には、連結固定手段Ａ５ａが、連結固定手段Ｂ５ｂの内周側（ファンユニット２側）になるようにする。そうして、凸部Ａ６ａは、外周側の連結固定手段Ｂ５ｂの穴部Ｂ７ｂに嵌合する。同様に、連結固定手段Ｂ５ｂの凸部Ｂ６ｂは、内周側の連結固定手段Ａ５ａの穴部Ａ７ａに嵌合するのである。
【００１７】
このようにして、２台のファンフィルタユニット１−１、１−２が一体化する。ここで、ファンフィルタユニット１の側面は、ファンフィルタユニット１の本体の中で最も面積が少ない面となっている。しかし、２台を連結することで、地面への設置面積部１０を大きくすることが可能となり、垂直方向置きした場合でもファンフィルタユニット１を安定して自立させることができる。そして、ファンフィルタユニット１の梱包仕様を積載空間の容積に合わせ自由に設定することが可能となる。
【００１８】
また、２台で１組にして固定することで、ファンフィルタユニット１間の間隔を一定に確保し、２台のファンフィルタユニット１間の緩衝材を不要としている。
【００１９】
なお、本実施の形態では、１つのファンフィルタユニット１に、外周側に突出する凸部Ａ６ａを有した連結固定手段Ａ５ａと内周側に突出する凸部Ｂ６ｂを有した連結固定手段Ｂ５ｂとを設けたが、どちらか一方だけで構成しても良い。
【００２０】
この場合において、２つのファンフィルタユニット１が同じ連結固定手段５を有する場合には、凸部６と穴部７との嵌合が一対の連結固定手段５において１箇所になる。
【００２１】
あるいは、他方のファンフィルタユニット１には、別の連結固定手段５を取り付けることによって、図３で示すように、凸部６と穴部７との嵌合が一対の連結固定手段５において２箇所になる。
【００２２】
（実施の形態２）
また、本発明の第２の実施の形態によるファンフィルタユニットは、図４（ａ）に示すように、ファンフィルタユニット１−１を上方向に積み上げる場合を説明する。
【００２３】
図（ｂ）に示すように連結固定手段５には、ファンフィルタユニット１−１のチャンバー側面と固定するときに長孔８にネジ９を介して固定される構造となっている。この長孔８は、ファンフィルタユニット１−１の天面方向（天面と垂直な方向）に長い穴になっている。ネジ９を緩めることで連結固定手段５の上下高さを自由に設定できるようになっている。そのため、ファンフィルタユニット１−１の上面に対し上方向にファンフィルタユニット１−２、１−３を積み上げるときは、天面側に突出した連結固定手段５が、積み上げられるファンフィルタユニット１−２，１−３の左右方向のズレを簡易的に解消できる構造となっている。また、図５に示すように、連結固定手段５の上辺１２をファンフィルタユニット１の天面１３と合わせることで、ファンフィルタユニット天面をフラットにすることができる。従って、ファンフィルタユニット１を指定箇所に設置している状態では不要となる突出部分を無くすことも可能となる。このように連結固定手段５は、移動時、積載時、固定時の各種用途ごとに自由に使い分けることも可能である。
【００２４】
また、連結固定手段５に設けた穴部７は、ファンフィルタユニット１を移動させるときには、取っ手としても利用でき、別途取っ手となる別部品を追加する必要もない。
【００２５】
なお、連結固定手段５同士をネジを用いて確実に固定しても良い。
【産業上の利用可能性】
【００２６】
以上のように本発明によれば、ファンフィルタユニット製品本体に、ファンフィルタユニット同士を固定するための連結固定手段をチャンバー側面に設けたことで、ファンフィルタユニットの出荷台数、積載容積に合わせ最適な梱包仕様を提供でき、輸送費の削減及び梱包資材費の削減ができる。また、さらに前記連結固定手段に設けた穴部を利用することでファンフィルタユニット持ち運び用の取っ手としても利用可能とすることで、製品全体で部品点数を削減すべきときの用途に適用できる。
【符号の説明】
【００２７】
１    ファンフィルタユニット
２    ファンユニット
３    チャンバー
４    フィルタ
５    連結固定手段
５ａ  連結固定手段Ａ
５ｂ  連結固定手段Ｂ
６    凸部
６ａ  凸部Ａ
６ｂ  凸部Ｂ
７    穴部
７ａ  穴部Ａ
７ｂ  穴部Ｂ
８    長孔
９    ネジ
１０  設置面積部
１２  上辺
１３  天面
【図１】
2013221723.tif 000003
【図２】
2013221723.tif 000004
【図３】
2013221723.tif 000005
【図４】
2013221723.tif 000006
【図５】
2013221723.tif 000007